(57)【要約】  エレベータのかごは、かご室（１）と、かご室（１）の上方に設けられ、且つ、主ロープ（７）が貫通する整風カバー（３）と、整風カバー（３）の前方に設けられた整風板（８）と、整風カバー（３）の内側に設けられて主ロープ（７）を囲む遮風板（５）に設けられた支持板（１０）とを備えており、支持板（１０）および整風板（８）によって、足場板（９）が支持されており、整風カバー（３）内側のレイアウトを制約することを回避しながら、仮設足場が容易に得ることができる。
2016006104.tif 000002
【特許請求の範囲】
【請求項１】
かご室と、  前記かご室の上方に設けられ、主ロープが貫通する整風カバーと、  前記整風カバーの前方に設けられた整風板と、  前記整風カバーの内側に設けられて主ロープを囲む遮風板と、  前記遮風板に設けられた支持板とを備え、  前記支持板および前記整風板によって足場板が支持されている、エレベータのかご。
【請求項２】
前記足場板の前端部は、前記整風板に載せられており、該足場板の後端部は、前記支持板に載せられており、  前記足場板の下面には、それぞれ前後方向に延びる、左右一対の脚が設けられている、請求項１のエレベータのかご。
【請求項３】
前記脚それぞれの下面には、滑り止めが設けられている、請求項２のエレベータのかご。
【請求項４】
少なくとも一つの突起が、前記支持板に設けられており、  前記突起に対応する切欠きが、前記足場板の後端部に設けられている、請求項１〜３の何れか一項のエレベータのかご。
【発明の詳細な説明】
【技術分野】
【０００１】  本発明は、エレベータのかごに関するものである。
【背景技術】
【０００２】  特許文献１には、かごの整風カバーの上に作業台が仮設されたエレベータのかごが開示されている。このエレベータのかごでは、かごの上部に、内側から支持フレームで支持された整風カバーが設けられている。そして、さらに、この整風カバーの上部に、支え部材、支柱、支持腕によって作業台パネルが支持される。このようにして、保守点検作業を行う場合には、曲面状の整風カバーの上でも平坦な足場を得ることができる。
【先行技術文献】
【特許文献】
【０００３】
【特許文献１】特開２０１２−１４０２２９号公報
【発明の概要】
【発明が解決しようとする課題】
【０００４】  しかしながら、特許文献１に開示の構成では、作業台を固定する構造が複雑であり部品点数も多いため、設置に時間がかかり、また、作業台の支柱が整風カバーの内側にあるため、整風カバー内側のレイアウトが制約をうけることがあった。【０００５】  本発明は、上記に鑑みてなされたものであり、整風カバー内側のレイアウトを制約することを回避しながら、仮設足場が容易に得られるエレベータのかごを提供することを目的とする。
【課題を解決するための手段】
【０００６】  上述した目的を達成するため、本発明のエレベータのかごは、かご室と、前記かご室の上方に設けられ、主ロープが貫通する整風カバーと、前記整風カバーの前方に設けられた整風板と、前記整風カバーの内側に設けられて主ロープを囲む遮風板と、前記遮風板に設けられた支持板とを備え、前記支持板および前記整風板によって足場板が支持されている。
【発明の効果】
【０００７】  本発明のエレベータのかごによれば、整風カバー内側のレイアウトを制約することを回避しながら、仮設足場が容易に得ることができる。
【図面の簡単な説明】
【０００８】
【図１】本発明の実施の形態１のエレベータのかごを示す図である。
【図２】図１におけるＩＩ−ＩＩ線からみたかご室の上方の構成を示す図である。
【図３】図１のＩＩＩ部の詳細図である。
【図４】図１において、足場板を外した状態を示す図である。
【図５】足場板を利用した作業イメージを示す図である。
【図６】本発明の実施の形態２のエレベータのかごの足場板を示す図である。
【図７】本発明の実施の形態３のエレベータのかごの足場板の後端を示す図である。
【発明を実施するための形態】
【０００９】  以下、本発明に係るエレベータのかごの実施の形態について添付図面に基づいて説明する。なお、図中、同一符号は同一又は対応部分を示すものとする。
【００１０】  実施の形態１．  図１は、本発明の実施の形態１のエレベータのかごを示す図であり、図１の左側に、かごの正面を示し、図１の右側に、かごの右側面を示す。図２は、図１におけるＩＩ−ＩＩ線からみたかご室の上方の構成を示す図である。図３は、図１のＩＩＩ部の詳細図である。図４は、図１において、足場板を外した状態を示す図である。図５は、足場板を利用した作業イメージを示す図である。
【００１１】  図１〜図４に示されるように、かご室１の前面には、かごドア２１が設けられている。かごドア２１の上方には、かごドア２１をスライドさせて開閉するためのかごドア装置２２が設けられている。
【００１２】  かご室１の左右両側面には、かご枠２が設けられている。かご枠２はそれぞれ、上下方向に延びている。かご枠２の上梁２ａの上方には、複数のガイドローラ６が設けられている。ガイドローラ６はそれぞれ、対応するガイドローラ用整風カバー４によって覆われている。
【００１３】  かご室１の上方には、さらに、整風カバー３が設けられている。整風カバー３の前方（乗場側）には、整風板８が設けられている。整風板８は、かご室の前面の上方、すなわち、かごドア装置２２の上方に設けられている。
【００１４】  また、整風カバー３の上部中央は、主ロープ７が通ることができるよう開口している。整風カバー３の内側には、遮風板５が設けられており、主ロープ７は、この遮風板５によって囲まれている。
【００１５】  整風カバー３の上方には、足場板９が設けられている。足場板９は、支持板１０と、整風板８とによって支持されている。支持板１０は、主ロープ７の周囲を囲む遮風板５に設けられている。具体的一例として、支持板１０は、遮風板５の前壁部（遮風板５のうちの乗場側）における後側の面（乗場と反対側の面）に予めボルトで固定されている。
【００１６】  支持板１０には、複数（少なくとも左右一対）の突起１０ａが設けられている。足場板９の後端部（乗場と反対側の端部）を、突起１０ａをガイドにして支持板１０に載せ、足場板９の前端部（乗場側の端部）を、整風板８の上面に載せる。そして、左右二対のボルト９ａによって、足場板９を、支持板１０、整風板８および整風カバー３に固定する。図示例では、一対のボルト９ａは、足場板９と整風板８とを接続し、他の一対のボルト９ａは、足場板９と整風カバー３の頂上部とを接続している。また、足場板９の後端部には、突起１０ａを収容する切り欠きまたは孔を設けておいてもよい。
【００１７】  足場板９の構成材料としては、一例であるが、アルミニウム製の縞鋼板を挙げることができる。アルミニウム製の縞鋼板を用いれば、軽量で、かつ、十分な合成を持った足場を提供することができ、また、足場における滑り止め機能も得ることができる。
【００１８】  以上のように構成された本実施の形態１のエレベータのかごによれば、次のような利点が得られる。すなわち、既存の整風カバーへの改造が殆ど必要なく、さらに、整風カバーの内側に支柱を設けることを強いられないという利点が得られている。また、これにより、整風カバー内側のレイアウトを制約することを回避できる利点もある。さらに、整風カバーを貫通して上方に延びる支柱が無く、且つ、整風カバー内側のレイアウトの自由度が高いので、結果的に、整風カバーの上方の作業空間を増加させることにもつながる利点がある。また、足場板は、その一端を、突起をガイドにして支持板に載せ、他端を整風板に載せてボルト固定するだけであるので、取り付けが容易な仮設足場を得ることができる。これにより、図５に例示されるように、流線型の整風カバーの上方に仮設足場を容易に用意することができ、例えばガイドローラの着脱作業等、安全な保守点検作業を行うことができる。
【００１９】  実施の形態２．  次に、図６に基づいて、本発明の実施の形態２について説明する。図６は、本発明の実施の形態２のエレベータのかごの足場板を示す図であり、紙面上部に、上方からみた足場板を示し、紙面下部に、前方からみた足場板を示す。なお、本実施の形態２は、以下に説明する部分を除いては、実施の形態１と同様に構成されているものとする。
【００２０】  本実施の形態２では、足場板１０９の下面に、左右一対の脚１１２が設けられている。足場板１０９は、左右一対の脚１１２を整風カバー３の上に載せて配置される。左右一対の脚１１２は、前後方向（乗場に対して近づいたり離れたりする方向）に平行に延びている。脚１１２はそれぞれ、滑り止め１１２ａと、本体１１２ｂとを含んでいる。
【００２１】  本体１１２ｂは、円管パイプを半分に割ったような形状の部材であり、すなわち、縦断面半球状の部材であり、凹側を上に向けた状態で、足場板９の下面に溶接によって取り付けられる。滑り止め１１２ａは、本体１１２ｂの下面に設けられたゴムシートである。例えば、ゴムシートは、両面テープで本体１１２ｂの下面に貼り付けられていてもよい。これにより、平面視矩形の足場板１０９の前端、後端および中央部だけでなく、足場板１０９の四周が支持される。なお、ゴムシート１１２ａを省略して実施することもできる。
【００２２】  以上のように構成された本実施の形態２によっても、実施の形態１と同様な利点が得られることに加え、足場板の撓みが抑制され、作業の安全性がより向上すると共に、足場板への負荷が減ることで耐久性も向上する。また、滑り止めにより足場板の摩擦保持力が高まり、足場板の滑るによる固定点に対する負荷を抑制するできるため、これによっても耐久性が向上する。
【００２３】  実施の形態３．  次に、図７に基づいて、本発明の実施の形態３について説明する。図７は、本発明の実施の形態３のエレベータのかごの足場板の後端を示す図であり、図３の矢印ＶＩＩに示すように平面から当該後端周辺を見たときの図である。なお、本実施の形態３は、以下に説明する部分を除いては、実施の形態１または２と同様に構成されているものとする。
【００２４】  本実施の形態３では、足場板２０９の後端には、複数の切欠き２２３が設けられている。複数の切欠き２２３は、支持板１０の複数の突起１０ａに対応して設けられている。よって、本実施の形態３では、左右一対の突起１０ａに対応して、足場板２０９の後端には、左右一対の切欠き２２３が設けられている。
【００２５】  足場板２０９を固定する際は、図７に示されるように、足場板２０９を整風カバー３の上面においてスライドさせ、支持板１０の突起１０ａに、対応する切欠き２２３を乗場側から突き当てて、足場板２０９の位置決めを行う。
【００２６】  以上のように構成された本実施の形態３によっても、実施の形態１または２と同様な利点が得られることに加え、足場板を持ち上げることなく足場板の位置決めを完了させることができるので、作業性を、より向上させることが可能となっている。
【００２７】  以上、好ましい実施の形態を参照して本発明の内容を具体的に説明したが、本発明の基本的技術思想及び教示に基づいて、当業者であれば、種々の改変態様を採り得ることは自明である。例えば、本発明は、複数の突起と、対応する複数の切欠きとが設けられている態様には限定されず、一つの突起と、それに対応する一つの切欠きとが設けられている態様として実施することもできる。
【符号の説明】
【００２８】  １  かご室、３  整風カバー、５  遮風板、７  主ロープ、８  整風板、９、１０９、２０９  足場板、１０  支持板、１０ａ  突起、１１２  脚、１１２ａ  滑り止め、１１２ｂ  本体、２２３  切欠き。
【図１】
2016006104.tif 000003
【図２】
2016006104.tif 000004
【図３】
2016006104.tif 000005
【図４】
2016006104.tif 000006
【図５】
2016006104.tif 000007
【図６】
2016006104.tif 000008
【図７】
2016006104.tif 000009
【国際調査報告】
2016006104.tif 000010
2016006104.tif 000011